(57)【要約】【課題】トンネルに設置されている消火栓装置の放水点検を行うときに、ホースに水圧がかかっても、ホースがばらけてホース収容部から飛び出したり踊ったりすることを防止する。【解決手段】ホース留め具Ａは、金属製の棒体を螺旋状に変形させて形成されている螺旋体１を備えている。螺旋体１の螺旋方向の両端部には、ホースを傷付けないようにする保護部材２が設けられている。保護部材２は合成樹脂製の熱収縮チューブである。螺旋体１の直径は少なくともホース６の直径より径大に設定されている。ホース留め具Ａによって、ホース６の繰り出し部分の基部をケージ状のホース収容体５の棒体の交差部分Ｐに固定することができる。【選択図】　　　　図７
2004016512.tif 000002
【特許請求の範囲】
【請求項１】
消火栓装置のホース収容部に巻き取って収容してあるホース（６）を、ホース収容部（５）にホース（６）の巻き取り残りがある状態でホース（６）に水圧がかかったときに、ホース収容部（５）から飛び出さないように所要箇所に止めるホース留め具であって、
線材または棒材によってホース（６）が保持できる螺旋状または本質的に螺旋状に形成されていることを特徴とする、
消火栓装置用ホース留め具。
【請求項２】
消火栓装置のケージ状のホース収容部（５）に巻き取って収容してあるホース（６）を、ホース収容部（５）にホース（６）の巻き取り残りがある状態でホース（６）に水圧がかかったときに、ホース収容部（５）から飛び出さないように所要箇所に止めるホース留め具であって、
線材または棒材によってホース（６）が保持できる螺旋状または本質的に螺旋状に形成されており、螺旋の直径は少なくともホース（６）の直径より径大に設定されていることを特徴とする、
消火栓装置用ホース留め具。
【請求項３】
消火栓装置用ホース留め具の螺旋方向の両端部にホース（６）を傷付けないようにする保護部材（２）が設けられていることを特徴とする、
請求項１または２記載の消火栓装置用ホース留め具。
【請求項４】
ケース（３）内に設けてありケージ状に形成されたホース収容部（５）には、ホース（６）が巻き取って収容してあり、ホース収容部（５）にホース（６）の巻き取り残りがある状態としてホース（６）に水圧がかかったときに、ホース（６）がホース収容部（５）から飛び出さないように所要箇所に留める消火栓装置ホース留め具（Ａ）を有し、
上記ホース留め具（Ａ）は、線材または棒材によってホース（６）が保持できる螺旋状または本質的に螺旋状に形成されていることを特徴とする、
消火栓装置。
【請求項５】
消火栓装置（Ｂ）のホース収容部（５）に巻き取って収容してあるホース（６）を、ホース収容部（５）にホース（６）の巻き取り残りがある状態でホース（６）に放水時の水圧がかかったときに、ホース収容部（５）から飛び出さないように所要箇所に止めることを特徴とする、
消火栓装置における放水時のホースばらけ防止方法。
【発明の詳細な説明】
【０００１】
【発明の属する技術分野】
本発明は、消火栓装置用ホース留め具、消火栓装置及び消火栓装置における放水時のホースばらけ防止方法に関するものである。更に詳しくは、例えばトンネルの内部に設置されている消火栓装置の放水点検において、ホースに水圧がかかったときに、ホース収容部からホースがばらけて飛び出したり踊ったりすることを防止するものに関する。
【０００２】
【従来技術】
トンネル内においては、交通事故などによる車両火災の発生に対処するために、消火栓装置が一定の間隔（通常は５０ｍ）で設けられている。このような消火栓装置は、操作の予備知識を持たない一般の人にも操作しやすいように、随所に様々な工夫がされている。例えば、放水用のノズルの取り付け構造もその一つで、ノズルは扉の裏側に取り付けられており、扉を開くとノズルも一緒に出てくるようになっている。扉は、下端部を蝶番などで止めて、上部側が下降回動して、水平な角度まで開く構造となっている。
【０００３】
また、消火栓装置は、万一の事故の際に確実に操作できるように、定期的に点検が行われている。この点検では、実際にホースをホース収容部から繰り出して放水を行うことが義務付けられている。従来は、この放水点検において、特にホースを固定しておらず、ホースを繰り出したそのままで放水をしている。
【０００４】
【発明が解決しようとする課題】
けれども、上記したような消火栓装置の放水点検では、次のような課題があった。
すなわち、放水点検では、ホースを固定していないので、ホースに水圧がかかったときに、ホース収容部からホースがばらけで飛び出したり踊ったりすることがあった。ホースが飛び出したり踊ったりすると、道路を走行中の自動車に当たってしまう危険があった。また、点検終了後、ホースをホース収容部に収容する際に、手間がかかりすぎて作業の効率が悪くなる問題もあった。
本願発明者は、このような状況を改善するために、例えば構造が簡易なＳ字金具等を使用してホースを簡易的に固定するための試行を繰り返した。しかし、ホースを一つのリング部に通すだけではホースの固定力が十分でないことが知見された。本願発明者はこれをもとに更に研究を重ねて、本願発明を完成した。
【０００５】
（本発明の目的）
本発明の目的は、例えばトンネルに設置されている消火栓装置の放水点検を行うときに、ホースに水圧がかかっても、ホースがばらけてホース収容部から飛び出したり踊ったりすることを防止する消火栓装置用ホース留め具、消火栓装置及び消火栓装置における放水時のホースばらけ防止方法を提供することである。
【０００６】
【課題を解決するための手段】
上記目的を達成するために講じた本発明の手段は次のとおりである。
第１の発明にあっては、
消火栓装置のホース収容部に巻き取って収容してあるホースを、ホース収容部にホースの巻き取り残りがある状態でホースに水圧がかかったときに、ホース収容部から飛び出さないように所要箇所に止めるホース留め具であって、
線材または棒材によってホースが保持できる螺旋状または本質的に螺旋状に形成されていることを特徴とする、
消火栓装置用ホース留め具である。
【０００７】
第２の発明にあっては、
消火栓装置のケージ状のホース収容部に巻き取って収容してあるホースを、ホース収容部にホースの巻き取り残りがある状態でホースに水圧がかかったときに、ホース収容部から飛び出さないように所要箇所に止めるホース留め具であって、
線材または棒材によってホースが保持できる螺旋状または本質的に螺旋状に形成されており、螺旋の直径は少なくともホースの直径より径大に設定されていることを特徴とする、
消火栓装置用ホース留め具である。
【０００８】
第３の発明にあっては、
消火栓装置用ホース留め具の螺旋方向の両端部にホースを傷付けないようにする保護部材が設けられていることを特徴とする、
第１または第２の発明に係る消火栓装置用ホース留め具である。
【０００９】
第４の発明にあっては、
ケース内に設けてありケージ状に形成されたホース収容部には、ホースが巻き取って収容してあり、ホース収容部にホースの巻き取り残りがある状態としてホースに水圧がかかったときに、ホースがホース収容部から飛び出さないように所要箇所に止める消火栓装置ホース留め具を有し、
上記ホース留め具は、線材または棒材によってホースが保持できる螺旋状または本質的に螺旋状に形成されていることを特徴とする、
消火栓装置である。
【００１０】
第５の発明にあっては、
消火栓装置のホース収容部に巻き取って収容してあるホースを、ホース収容部にホースの巻き取り残りがある状態でホースに放水時の水圧がかかったときに、ホース収容部から飛び出さないように所要箇所に止めることを特徴とする、
消火栓装置における放水時のホースばらけ防止方法である。
【００１１】
（作用）
本発明に係る消火栓装置のホース留め具は、次のように作用する。
消火栓装置の放水点検を行う場合、ホースは全部が繰り出されるわけではなく、数メートル程度が繰り出される。つまり、ホース収容部にはホースの巻き取り残りがある。
そして、ホースの繰り出し部分の基部（ホース収容部内のホースの巻き取り残りの先端部分）をホース留め具によって、例えばホース収容部の一部に固定または簡易的に固定する。なお、ホース収容部がケージ状のものである場合は、ケージを構成する棒体の所要箇所に固定または簡易的に固定するようにする。
【００１２】
ホース留め具によって、ホースを例えばケージ状のホース収容部に固定する際には、まず、ホースをケージを構成する棒体の所要箇所に沿わせるようにする。次に、螺旋体であるホース留め具の一端部の開口側をホースと棒体に嵌め入れ、ホース留め具を軸周方向に回し、徐々にホース留め具内にホースと棒体が収まるようにする。これによって、ホースはホース留め具によってホース収容部に固定または簡易的に固定される。
【００１３】
なお、ホース留め具は螺旋体の全長をもってホースを保持することができるので、例えばＳ字金具等に比べてホースを動きにくいように保持するための保持力が高い。また、ホース留め具は、構成材である線材または棒材を通すことができる部分があれば固定可能であるので、固定部の構造を比較的自由に選択できる。この状態で、ホース内に水を供給して放水を行っても、ホース収容部内に巻き取られた状態で残っているホースは、留め具で止められているために、水圧でばらけてホース収容部から飛び出したり踊ったりすることはない。
【００１４】
螺旋方向の両端部にホースを傷付けないようにする保護部材が設けられているものは、特にホース留め具を軸周方向に回しながらホースに取り付けるときに、ホース留め具の先端部でホースを傷付けてしまうことを防止できる。
【００１５】
【発明の実施の形態】
本発明を図面に示した実施の形態に基づき更に詳細に説明する。
図１は本発明に係るホース留め具の実施の形態を示す斜視図、
図２は消火栓装置の正面視説明図、
図３は消火栓装置の主扉と上部扉を全開した状態の正面視説明図、
図４は図３のＩ−Ｉ断面説明図、
図５は消火栓装置の主扉を全開した状態の側面視説明図、
図６はホース収容体の構造を示す説明図で、（ａ）は正面図、（ｂ）は底面図、（ｃ）は側面図、
図７はホース留め具によってホースをホース収容体に固定した状態を示す斜視図である。
【００１６】
ホース留め具Ａは、金属製の棒体を螺旋状に変形させてほぼ筒状に形成されている螺旋体１を備えている。螺旋体１の直径は、全長にわたり同じでもよいし場所によって直径を違えてもよい。
螺旋体１の材質は、ステンレススチール等の腐食しにくい金属が望ましいが、限定はしない。また、強度や耐久性が十分であれば、材質は金属に限定されるものではなく、合成樹脂等を採用することもできる。
【００１７】
螺旋体１の螺旋回数は、本実施の形態では３回であるが、これに限定しない。また、螺旋体１の棒体の直径は４ｍｍであり、直径は６４ｍｍ（ホースの直径が４０ｍｍの場合）、ピッチは６０ｍｍであるが、この寸法に限定しない。また、螺旋体１の直径及びピッチはホースの直径の１．２〜２．０倍に設定するのが好ましいが、これに限定するものではない。なお、ピッチがホースの直径の２．０倍を超えると全長が必要以上に長くなり取り扱いがしにくくなる。また、ピッチがホースの直径の１．２倍に満たないと、ホースが入らなかったり作業がしにくくなる。
また、螺旋体１の螺旋方向の両端部には、ホースを傷付けないようにする保護部材２が設けられている。保護部材２は、合成樹脂製の熱収縮チューブである。
【００１８】
ここで、ホース留め具Ａを使用する対象となる消火栓装置Ｂの構造の概略を説明する。
消火栓装置Ｂは、箱状のケース３を有する。ケース３はケース本体３０と、主扉３１、上部扉３２及び副扉３３を備えている。
主扉３１はヒンジ３４により取り付けられた下側を中心として回動する縦開き構造である。主扉３１は、全開したときに水平状態で停止するようにつくられている。符号３５は、主扉３１を開けるときに低速で回動（開動）させるためのオイルダンパである。
【００１９】
また、上部扉３２は、上方へ回動して開く縦開き構造である。上部扉３２はステー３６によって開いた状態を維持できるようになっており、下方への落下回動を防止している。ケース本体３０の内部には、給水栓４が設けられている。ケース本体３０の奥壁部のうち給水栓４の隣には、ホース収容体５が設けられている。
【００２０】
ホース収容体５は金属製の棒体でケージ状に形成されている。ホース収容体５は、左右対称型の構成部５１、５２で構成されている。構成部５１、５２は、それぞれ上下端側に水平部を有する縦部材５１０、５２０と、所要間隔で三段に設けられ外端側に水平部を有する横部材５１１、５２１を基枠板５３に固定した構造である。この構造により、構成部５１、５２の間には、ホース６を内部から繰り出すための繰り出し口部５０が設けられている。
【００２１】
ホース６は、ホース収容体５に規則的に巻回されて収容されている。ホース６の先端部には、ノズル７が接続されている。ノズル７は、主扉３１の裏面側に固定具３７で着脱可能に固定されている。なお、ホース６は、主扉３１の裏面側に固定された逆Ｕ字形のホースガイド３８の内側に通されている。
【００２２】
副扉３３は長方形状で、正面視で左側がヒンジ（図示省略）により取り付けられた横開き構造である。
副扉３３の内方側のケース本体３０の内部には、二本の消火器８が着脱可能に収容されている。
【００２３】
（作用）
図１ないし図７、特に図２と図７を参照して本実施の形態に係るホース用留め具Ａの作用を説明する。
消火栓装置Ｂの放水点検を行う場合、ホース６は全部が繰り出されるわけではなく、数メートル程度がホース収容体５の繰り出し口部５０から繰り出される。つまり、ホース収容体５にはホース６の巻き取り残りがある。
そして、ホース６の繰り出し部分の基部（ホース収容体内のホースの巻き取り残りの先端部分）をホース留め具Ａによって、ケージ状のホース収容体５の所定箇所（通常は強度が強い棒体の交差部分Ｐ）に固定する。
【００２４】
ホース６の固定は次のように行う。
まず、ホース５をホース収容体５の棒体の交差部分Ｐのいずれかの棒体に沿わせるようにする。次に、螺旋体１の一端部の開口側をホース６と棒体に嵌め入れ、ホース留め具Ａを軸周方向に回し、徐々にホース留め具Ａ内にホース６と棒体が収まるようにする。これによって、ホース６はホース収容体５に簡易的に固定される。
【００２５】
なお、ホース留め具Ａは螺旋体１の全長をもってホース６を保持することができるので、例えばＳ字金具等に比べてホース６を動きにくいように保持するための保持力が高い。また、ホース留め具Ａは、螺旋体１の構成材である線材または棒材を通すことができる部分があれば固定可能であるので、例えばホース収容体５の固定部の構造をケージ状にする他、板体に挿通孔を設けた構造にする等、比較的自由に選択できる。
【００２６】
この状態で、ホース６内に水を供給して放水を行っても、ホース収容体５内に巻き取られた状態で残っているホース６は、ホース留め具Ａで止められているために、水圧でばらけてホース収容体５から飛び出したり踊ったりすることはない。
【００２７】
また、螺旋体１の螺旋方向の両端部にホースを傷付けないようにする保護部材２が設けられているので、上記のようにホース留め具Ａを軸周方向に回しながらホース６に取り付けるときに、ホース留め具Ａの先端部でホース６を傷付けてしまうことを防止できる。
なお、螺旋体１は、ホース収容体５の棒体のいずれの取付位置においても絡めるようにホース６を固定することができる。ホース留め具Ａの取り外しは、取り付けのときと逆方向に回すことにより簡単にできる。
【００２８】
なお、本明細書で使用している用語と表現は、あくまで説明上のものであって限定的なものではなく、上記用語、表現と等価の用語、表現を除外するものではない。また、本発明は図示されている実施の形態に限定されるものではなく、技術思想の範囲内において種々の変形が可能である。
【００２９】
【発明の効果】
本発明は上記構成を備え、次の効果を有する。
（ａ）ホースの繰り出し部分の基部をホース留め具によって保持してホース収容部の一部に固定することによって、消火栓装置の点検を行う場合にホース内に水を供給して放水点検を行っても、ホース収容部内に巻き取られた状態で残っているホースは、水圧でばらけてホース収容部から飛び出したり踊ったりすることはない。
【００３０】
（ｂ）ホース留め具は螺旋体の全長をもってホースを保持することができるので、例えばＳ字金具等に比べてホースを動きにくいように保持するための保持力が高い。また、ホース留め具は、構成材である線材または棒材を通すことができる部分があれば固定可能であるので、固定部の構造を比較的自由に選択できる。
【００３１】
（ｃ）螺旋方向の両端部にホースを傷付けないようにする保護部材が設けられているものは、特にホース留め具を軸周方向に回しながらホースに取り付けるときに、ホース留め具の先端部でホースを傷付けてしまうことを防止できる。
【図面の簡単な説明】
【図１】本発明に係るホース留め具の実施の形態を示す斜視図。
【図２】消火栓装置の正面視説明図。
【図３】消火栓装置の主扉と上部扉を全開した状態の正面視説明図。
【図４】図３のＩ−Ｉ断面説明図。
【図５】消火栓装置の主扉を全開した状態の側面視説明図。
【図６】ホース収容体の構造を示す説明図。
【図７】ホース留め具によってホースをホース収容体に固定した状態を示す斜視図。
【符号の説明】
Ａ　ホース留め具
１　螺旋体
２　保護部材
Ｂ　消火栓装置
３　ケース
３０　ケース本体
３１　主扉
３２　上部扉
３３　副扉
３４　ヒンジ
３５　オイルダンパ
３６　ステー
３７　固定具
３８　ホースガイド
４　給水栓
５　ホース収容体
５０　繰り出し口部
５１、５２　構成部
５１０、５２０　縦部材
５１１、５２１　横部材
Ｐ　交差部分
６　ホース
７　ノズル
８　消化器
【図１】
2004016512.tif 000003
【図２】
2004016512.tif 000004
【図３】
2004016512.tif 000005
【図４】
2004016512.tif 000006
【図５】
2004016512.tif 000007
【図６】
2004016512.tif 000008
【図７】
2004016512.tif 000009